(57)【要約】【課題】  ボールを所定の方向へ打ち出しやすく、かつ、ボールを打ち上げたり、思わぬ方向に飛んだりするおそれがなく、安定してボールを滑らせることができるスライドボールゲーム用スティックを提供する。【解決手段】  シャフト７の先端には、略円柱形状のヘッド８が設けられている。このヘッド８の周面には、ヘッド８の軸方向に沿って中心部の直径が小径となり外周面がボール２の直径より大きな直径の円弧状となるようくびれ部１０が形成されている。ゲームの際には、このくびれ部１０を打撃部として使用する。【選択図】  図１
2010022413.tif 000002
【特許請求の範囲】
【請求項１】
シャフトの先端に略円柱状のヘッドを設け、該ヘッドの周面に軸方向に沿って中心部の直径が小径となり外周面がボールの直径より大きな直径の円弧状となるようくびれ部を形成し、該くびれ部を打撃部としたことを特徴とするスライドボールゲーム用スティック。
【請求項２】
上記ボールは、球体の下方を直線的に切除して曲面部及び底面部を設けたスライドボールである請求項１に記載のスライドボールゲーム用スティック。
【請求項３】
上記ボールは、円盤状のボールである請求項１に記載のスライドボールゲーム用スティック。
【請求項４】
球体の下方を直線的に切除して曲面部及び底面部を設けたスライドボールと、シャフトの先端に略円柱状のヘッドを設け、該ヘッドの周面に軸方向に沿って中心部の直径が小径となり外周面が上記スライドボールの直径より大きな直径の円弧状となるようくびれ部を形成し、該くびれ部を打撃部としたスライドボールゲーム用スティックを具備するスライドボールゲーム用具。
【請求項５】
円盤状のボールと、シャフトの先端に略円柱状のヘッドを設け、該ヘッドの周面に軸方向に沿って中心部の直径が小径となり外周面が上記ボールの直径より大きな直径の円弧状となるようくびれ部を形成し、該くびれ部を打撃部としたスライドボールゲーム用スティックを具備するスライドボールゲーム用具。
【発明の詳細な説明】
【技術分野】
【０００１】
本発明は、スティックで打ったボールを滑走させて競技するゲーム用のスティック及びそれを用いたゲーム用具に関する。
【背景技術】
【０００２】
スティックとボールを使う競技としてゴルフやゲートボール、グラウンドゴルフなどが広く親しまれているが、これらの競技は使用しているボールやゲームの性質上、広い場所が必要となるし、用具一式を揃えるのにも多額の費用がかかる。そこで、狭いスペースでも高齢者や幼児、療養者などが気軽に楽しめることを目的として、ボールをスティックで打って滑走させ、的に当てたり、ホールに入れたりして競技するスライドボールゲームが提案されている（例えば、特許文献１参照）。この特許文献１に記載のスティックは、ヘッドが側断面視略三角形状に設けられ、フェイス面が平板状に形成されているので、打ち出し方向を定めにくく、ボールを的に向けてまっすぐに打つのが大変であり、思った方向にボールを打ち出しにくいという問題点があった。また、インパクトの瞬間（フェイス面がボールを捉える瞬間）が見えないから、余計に方向を定めにくかった。
【０００３】
一方、分厚い円盤状のストーンをスティックで押し出して滑らせる形式のカーリング類似のゲームも提案されている（例えば、特許文献２）。この特許文献２に記載のスティックは、ストーンを押し出すスティックのヘッドの先端に該ストーンの操作部の縁部形状に適合する平面視略円弧状の押し出し部（フェイス面）が設けられている。しかし、このフェイス面は、単に平面を湾曲させた弧面であるから、スティックの当たる角度が変化して、この弧面とボールの当たる角度が変わると、ボールは上下方向の種々の角度に打ち出され、例えば、フェイス面の下端部がボールの下方に当たった場合にはボールが打ち上げられてしまうし、上方に当たるとボールが叩きつけられてしまって、うまくボールをスライドさせることができなくなるおそれがあり、このようなスティックをスライドボールゲームに適用するのは難しい。
【特許文献１】実公平昭５３−１７８８７号公報（図面）
【特許文献２】特開２００２−７８８３７号公報（図１、図３、図４）
【発明の開示】
【発明が解決しようとする課題】
【０００４】
本発明が解決しようとする課題は、ボールを所定の方向へ打ち出しやすく、かつ、ボールを打ち上げたり、思わぬ方向に飛んだりするおそれがなく、安定してボールを滑らせることができるスライドボールゲーム用スティックを提供することである。
【課題を解決するための手段】
【０００５】
本発明によれば、シャフトの先端に略円柱状のヘッドを設け、該ヘッドの周面に軸方向に沿って中心部の直径が小径となり外周面がボールの直径より大きな直径の円弧状となるようくびれ部を形成し、該くびれ部を打撃部としたことを特徴とするスライドボールゲーム用スティックが提供され、上記課題が解決される。
【発明の効果】
【０００６】
本発明は、上記のように構成され、シャフトの先端に略円柱状のヘッドを設け、該ヘッドの周面に軸方向に沿って中心部の直径が小径となり外周面がボールの直径より大きな直径の円弧状となるようくびれ部を形成し、該くびれ部を打撃部としたので、このスティックでボールを打つと、上記くびれ部がボールの曲面部に線接触する。すなわち、スティックの当たる角度が変化しても、弧状の打撃部がボールを捉えるポイントは一定の直線上に存しているため、ボールを所定の方向に打ち出しやすく、的やホールなどに向かってボールを滑らせることができる。また、上記打撃部がボールに当たる角度は変化しないから、ボールを打ち上げたり叩きつけたりするおそれがなく、安定してボールを滑らせることができる。
【発明を実施するための最良の形態】
【０００７】
本発明のボールゲーム用スティックは種々のスライドボールゲームに適用することができるが、図１は球体の下方を直線的に切除して設けたボールを打ってシート上を滑走させるスライドボールゲームに適用した一実施例を示している。スライドボールゲーム用具１は、ボール２、該ボール２を打つためのスティック３、該スティック３で打った上記ボール２を滑走させるためのシート４を有している。
【０００８】
上記ボールは、種々のボールを使用することができる。図に示すボール２は、ゲートボール用のボールを使用している。このゲートボール用ボールは、直径７．５ｃｍと定められているので、その中心点から約１．５ｃｍ程度離れた部分を直線的に切除することにより曲面部５と底面部６を形成してある。この切除部分は、適宜の構造に設けることができ、例えば、底面部にボールの滑りを良くする滑走面を有する滑走補助具を設置したり、ゲーム内容に応じてボールが適宜変化して動くように形成してもよい。また、上記の如き略球体状のボールに代えて、円盤状（パック状）の形状のボールを用いることもできる（図示略）。
【０００９】
上記スティック３は、棒状のシャフト７と、該シャフト７の先端に設けられるヘッド８を有する。該ヘッド８全体は略円柱状に設けられ、その周面９には軸方向に沿って中心部の直径が小径となるくびれ部１０が形成されている。このくびれ部１０の外周面は、上記ボール２の直径より大きな直径を有する円弧状に設けられている。ゲームの際には、このくびれ部１０を打撃部として使用する。本実施例において、くびれ部１０は、ヘッド８の外周９の中間部に設けられているが、外周９の一端部に形成したり（図４）、外周９の全体に形成することもできる（図５）。また、本実施例において、くびれ部１０は、ボール２の直径よりわずかに大きな直径を有する円弧状に設けられているが、この円弧の形状はボールの方向を定めうる適宜の円弧状に形成することができる。なお、図示のシャフト７は、ヘッド８の中央に設けた取付孔１１に挿入して固定しているが、この固定方法は適宜の構造にすることができ、その取付位置も図に示すような中央位置ではなく、図４に示すように中央から外れた位置に設けてもよい。
【００１０】
上記シート４は、上記スティック３で打ったボール２が滑走するためのボール滑走面１２を有する。このボール滑走面１２は、ボール２の滑りを良くするため、滑り性を有する素材で設けられているのが好ましいが、上記ボール２との関係で適宜の構成にすることができる。また、例えばシート表面に得点を表示したシートとしてもよく（図示略）、ゲームの趣向次第では、このようなシートを使わずに床面上や地面上でボールを滑走させてもよい。
【００１１】
上記スティック３でボール２を打ったとき、ヘッド８のくびれ部１０（打撃部）がボール２と線接触する（図２、図３）。そして、図６の一点鎖線に示すように、スティック３（シャフト７）の傾きが変わっても、ヘッド８のくびれ部１０（打撃部）がボール２を捉えるポイント（インパクトライン１３）は一定であるから、所定の方向に安定してボールを打ち出すことができる。また、このインパクトライン１３は、ボールの下方に形成されることがないので、ボール２を打ち上げてしまうおそれがない。
【図面の簡単な説明】
【００１２】
【図１】本発明の一実施例を示す斜視図である。
【図２】図１に示すスティックのヘッドがボールに当たったときの状態を説明する平面図である。
【図３】図１に示すスティックのヘッドがボールに当たったときの状態を説明するため一部を断面した側面図である。
【図４】他の実施例を示す説明図である。
【図５】他の実施例を示す説明図である。
【図６】図１に示すスティックの当たる角度が変化したときの説明図である。
【符号の説明】
【００１３】
１  スライドボールゲーム用具
２  ボール
３  スティック
４  シート
８  ヘッド
９  外周
１０  くびれ部
１３  インパクトライン
【図１】
2010022413.tif 000003
【図２】
2010022413.tif 000004
【図３】
2010022413.tif 000005
【図４】
2010022413.tif 000006
【図５】
2010022413.tif 000007
【図６】
2010022413.tif 000008